(57)【特許請求の範囲】
【請求項１】
軒樋の長手方向の一部を被嵌するための着脱自在な枠体を有し、軒樋の長手方向に直交する枠体の側端面に切断治具を沿わせて軒樋を切断するための軒樋切断用補助具において、枠体の前壁上端部に軒樋の前耳部と嵌合するための前耳嵌合部を設け、枠体の後壁上端部に軒樋の後耳部と嵌合するための後耳嵌合部を設け、前耳嵌合部と後耳嵌合部を除いた枠体外面の側端部に軒樋の長手方向に対して垂直外向きに突出するガイド板部を設け、該ガイド板部側面と枠体側端面とを面一として成ることを特徴とする軒樋切断用補助具。
【請求項２】
外面に長手方向に連続し且つ断面の形状が同一である凹凸模様を有する軒樋を切断するための軒樋切断用補助具において、ガイド板部に軒樋の凹凸模様と合致する掃除用櫛歯を設けて成ることを特徴とする請求項１に記載の軒樋切断用補助具。
【請求項３】
枠体外面の両側端部に軒樋の長手方向に対して垂直外向きに突出するガイド板部を設けたことを特徴とする請求項１又は請求項２に記載の軒樋切断用補助具。
【請求項４】
前耳嵌合部に嵌合された軒樋の前耳部が前耳嵌合部を接地面に接地した際接地面から離れるように前耳嵌合部の外面に軒樋の長手方向に対して垂直外向きに突出した脚部を設けたことを特徴とする請求項１乃至請求項３のいずれか１項に記載の軒樋切断用補助具。
【請求項５】
前耳部に上向きに突出する係止部を設けた軒樋を切断するための軒樋切断用補助具において、軒樋の前板の前面上端部に対向して近接する前縦片と、軒樋の係止部上面に対向して近接する上横片と、軒樋の係止部後面に対向して近接する係止突起部とを有する前耳嵌合部を設け、前縦片の前面に操作用押圧部を設けたことを特徴とする請求項１乃至請求項４のいずれか１項に記載の軒樋切断用補助具。
【発明の詳細な説明】
【０００１】
【発明の属する技術分野】
本発明は、軒樋切断用補助具に関するものである。
【０００２】
【従来の技術】
図４に実開昭６２−１７３４３２号公報記載の軒樋切断用補助具を示す。図４に示すように従来の軒樋切断用補助具は軒樋の長手方向の一部の内面に着脱自在に嵌合するものが知られていた。
【０００３】
上記従来の軒樋切断用補助具１′を利用して軒樋２を切断する場合は、軒樋切断用補助具１′の前後耳嵌合部３′、４′をそれぞれ軒樋２の前後耳部５′、６′に嵌合することで軒樋２に軒樋切断用補助具１′を取付けた後、軒樋２の長手方向に直交する軒樋切断用補助具１′の側端面に鋸等の切断治具７を沿わせて軒樋２を切断していた。
【０００４】
しかしながら、上記従来の軒樋切断用補助具１′の肉厚は薄く成型されているため、面積の小さい側端面に鋸等の切断治具７を沿わせて軒樋２を切断することは難しかった。また軒樋切断用補助具１′を軒樋２の内面に取付けるために、軒樋２を切断する際は軒樋２の前耳部５′と後耳部６′との２箇所から切断し始めなければならず、最も切断の精度が要求される切断開始時において、正確に切断することが困難であった。さらに軒樋２を接地面８に接地して切断する場合においては、軒樋２底部を接地面８に接地する必要があり、軒樋２底部を切断する時に、鋸等の切断時具７が接地面８に当たってしまい、綺麗に軒樋２底部を切断することができなかった。
【０００５】
【発明が解決しようとする課題】
上記のように従来の軒樋切断用補助具においては、軒樋２の切断の際、非常に手間がかかり、また精度良く軒樋２の長手方向に対して垂直に軒樋２を切断することは困難であった。
【０００６】
本発明は上記の点に鑑みてなされたものであり、精度良く且つ容易に軒樋を切断できる軒樋切断用補助具を提供することを課題とするものである。
【０００７】
【課題を解決するための手段】
上記課題を解決するために本発明に係る軒樋切断用補助具１は、軒樋２の長手方向の一部を被嵌するための着脱自在な枠体９を有し、軒樋２の長手方向に直交する枠体９の側端面に切断用工具７を沿わせて軒樋２を切断するための軒樋切断用補助具１において、
枠体９の前壁１１上端部に軒樋２の前耳部５と嵌合するための前耳嵌合部３を設け、枠体９の後壁１２上端部に軒樋２の後耳部６と嵌合するための後耳嵌合部４を設け、前耳嵌合部３と後耳嵌合部４を除いた枠体９外面の側端部に軒樋２の長手方向に対して垂直外向きに突出するガイド板部１０を設け、該ガイド板部１０側面と枠体９側端面とを面一として成ることを特徴とするものである。
【０００８】
上記のようにガイド板部１０を設けることで、軒樋２切断時にガイド板部１０側面に鋸等の切断用工具７を沿わすことで切断の動作が安定する。また軒樋切断用補助具１は軒樋２の外面を被嵌するため、軒樋２底部から切断を開始することができる。
【０００９】
またガイド板部１０を前耳嵌合部３と後耳嵌合部４を除いた枠体９外面の側端部に設けることで、ガイド板部１０が設けられていない前耳嵌合部３と後耳嵌合部４との弾性を保つことができる。
【００１０】
また請求項２は請求項１において、外面に長手方向に連続し且つ断面が同一形状をした凹凸模様１３を有する軒樋２を切断するための軒樋切断用補助具において、ガイド板部１０に軒樋２の凹凸模様１３と合致する掃除用櫛歯１４を設けて成ることを特徴とするものである。
【００１１】
上記のように掃除用櫛歯１４を設けることで、軒樋２の切断の際にできる切り粉が軒樋２の凹凸模様１３に入り込んでしまった場合、掃除用櫛歯１４にて凹凸模様１３に入り込んだ切り粉を掻き出すことができる。
【００１２】
また請求項３は請求項１又は請求項２において、枠体９外面の両側端部に軒樋２の長手方向に対して垂直外向きに突出するガイド板部１０を設けたことを特徴とする。
【００１３】
上記のように両側端部にガイド板部１０を設けることで、鋸等の切断用工具７の右側面と左側面のどちらの面にもガイド板部の側面１０に沿わせることができるようになり、作業環境や作業者の右利き、左利きに関わらず、軒樋２を切断することができる。
【００１４】
また請求項４は請求項１乃至請求項３において、前耳嵌合部３に嵌合された軒樋２の前耳部５が前耳嵌合部３を接地面８に接地した際接地面８から浮くように前耳嵌合部３の外面に軒樋２の長手方向に対して垂直外向きに突出した脚部１５を設けたことを特徴とするものである。
【００１５】
上記のように脚部１５を設けることで、軒樋切断用補助具１を接地面８に接地した際、軒樋２の前耳部５を接地面８から浮かすことができ、鋸等の切断用工具７が接地面８に当たることなく前耳部５を切断することができる。
【００１６】
また請求項５は請求項１乃至請求項４において、前耳部５に上向きに突出する係止部１６を設けた軒樋２を切断するための軒樋切断用補助具１において、軒樋２の前板１７の前面上端部に対向して近接する前縦片１８と、軒樋２の係止部１６上面に対向して近接する上横片１９と、軒樋２の係止部１６後面に対向して近接する係止突起部２０とを有する前耳嵌合部３を設け、前縦片１８の前面に押圧によって係止部１６と前耳嵌合部３との着脱を操作できる操作用押圧部２１を設けたことを特徴とするものである。
【００１７】
上記のように係止突起部２０と操作用押圧部２１とを設けることで、前耳嵌合部３が前方に外れるのを防止し、且つ容易に前耳嵌合部３と前耳部５とを嵌合することができる。
【００１８】
【発明の実施の形態】
以下、本発明を添付図面に示す実施形態に基づいて説明する。図２に示すように軒樋２は水平な底板２２と底板２２の前側端部に上向きに突出し且つ前側に傾斜した前板１７と、底板２２の後側端部に上向きに突出した後板２３とを有し、軒樋２は上方に開口した溝形状をしている。軒樋２の前板１７の外面には外見を向上させるために断面凹凸形状で且つ長手方向に向かって同一の形状をした凹凸模様１３が形成されており、軒樋２の前板１７の上端部には後方に向けて突出する前耳部５が設けられている。前耳部５は前板１７から後向きに突出する横向き片２９と、横向き片２９先端部から下向きに突出する前耳突片３０と、横向き片２９から上向きに突出する係止部１６とで構成されている。一方軒樋２の後板２３の上端部内面には後耳部６が設けられている。
【００１９】
上記軒樋２を切断する場合は補助具として本発明の軒樋切断用補助具１を利用する。以下に本発明の軒樋切断用補助具１の実施形態の一例を図１示す。軒樋切断用補助具１は枠体９を有し、枠体９は底壁２４と、底壁２４の前端部から上向きに突出し且つ前方に向かって傾斜する前壁１１と、軒樋２の底壁２４の後端部から上向きに突出する後壁１２とで構成され、枠体９の内面は軒樋２の外周形状と略同じ形状をしている。前壁１１の上面には軒樋２の前耳部５と着脱自在に嵌合できる前耳嵌合部３が設けられている。前耳嵌合部３は略コ字状に形成されており、前壁１１の上面に下面後端部を接続した下横片２５と、下横片２５の外端部に設けた上向きに突出する前縦片１８と、前縦片１８上端部に設けた後方に向けて突出する上横片１９とで構成される。軒樋２の係止部１６を係止するために上横片１９の後端部下面には下向きに突出する係止突起部２０が設けられている。また上横片１９の後端部には上向きに突出する脚部１５が設けられている。前縦片１８中央部には前向きに突出する操作用押圧部２１が設けられている。一方後壁１２の上端面には後耳嵌合部４が設けられており、後耳嵌合部４は下面を後壁１２上面に接続した後縦片２６と、後縦片２６上端部に前方に向けて突出した横片２７とで構成される。横片２７の前端部下面には下向きに突出した後耳係止部２８が設けられている。
【００２０】
枠体９の外面の両側端部には軒樋２の長手方向に対して垂直外向きに突出するガイド板部１０を設けている。両ガイド板部１０の側面は枠体９側端面と面一となるように設けられている。またガイド板部１０の前面の一部には軒樋２の凹凸模様１３と合致する掃除用櫛歯１４が設けられている。
【００２１】
上記軒樋切断用補助具１を軒樋２に取付ける方法を以下に記す。まず枠体９が軒樋２の長手方向の一部を覆うようにして、軒樋切断用補助具１の後耳係止部２８を軒樋２の後耳部６の前面に引っ掛けると共に軒樋切断用補助具１の係止突起部２０を前耳嵌合部３上部に位置させる。次に操作用押圧部２１を後方に向けて押圧することで前耳嵌合部３は弾性変形して係止突起部２０の下面は係止部１６の上面よりも上方に位置し、係止突起部２０は係止部１６を乗り越えて、係止突起部２０の前面は係止部１６の後面に係止される。この時前縦片１８の後面は軒樋２の前板１７上端部前面に対向して近接し、上横片１９の下面は係止部１６の上面に対向して近接する。上記のようにして前耳嵌合部３を前耳部５に嵌合することができ、容易に軒樋２を軒樋切断用補助具１にて被嵌することができる。
【００２２】
上記のようにして軒樋２を軒樋切断用補助具１にて被嵌した後、軒樋２を切断するのであるが、切断は軒樋切断用補助具１を接地面８に接地して切断することが好ましいものである。すなわち図３に示すように軒樋切断用補助具１を設置する場合は前耳嵌合部３の脚部１５上面と後耳嵌合部４上面とを接地面８に接地する。この時、軒樋２の前耳部５と後耳部６とは軒樋切断用補助具１の前耳嵌合部３と後耳嵌合部４とで覆われているため接地面８とは接していない。上記のように軒樋切断用補助具１が被嵌した部分の軒樋２は接地面８とは接していないために、軒樋２切断時に接地面８に接する軒樋２が傷つくことを防止できる。
【００２３】
上記のように軒樋２に軒樋切断用補助具１を取付けて、接地面８に接地した後、鋸等の切断用工具７にて軒樋２の切断を行う。軒樋２を切断する場合は軒樋切断用補助具１に設けられたガイド板１０の側面に鋸等の切断時具７の刃面を沿わせて切断を行う。ガイド板１０に切断用工具７を沿わせて軒樋２を切断することで、鋸等の切断用工具７の動きが安定し、正確に軒樋２の長手方向に対して垂直に切断することができる。
【００２４】
また本実施例ではガイド板１０を枠体９の外面の両側端部に設けているため、鋸等の切断用工具７の右側面と左側面のどちらの面にもガイド板部１０の側面に沿わせることができ、作業環境や作業者の右利き、左利きに関わらず、軒樋２を切断することができる。
【００２５】
ところで、軒樋２の切断作業において最も精度を要求されるのは切断開始時であり、図３に示すように変形し難い軒樋２の底部から軒樋２の切断を開始することが好ましい。従来の軒樋切断用補助具１′は軒樋２の内面を覆うために切断は軒樋２の耳部からしか開始できなかったのに対して、本実施例では軒樋切断用補助具１が軒樋２を外部から被嵌することができるため、変形し難い軒樋２の底部から切断を開始することができ、切断を精度良く行うことができる。
【００２６】
また、軒樋２の切断が進むと軒樋２の前耳部５を切断する必要がある。本実施例では軒樋切断用補助具１に脚部１５が設けられており、軒樋２の前耳部５と接地面８との間には隙間Ａが形成されているので、軒樋切断用補助具１を接地面８に接地して軒樋２を安定させた状態で切断することができ、且つ鋸等の切断用工具７の先端が接地面８に接することなく前耳部５を切断することができる。
【００２７】
また鋸等の切断用工具７によって軒樋２を切断すると、軒樋２から切り粉が出てしまい、外見を向上させるために断面凹凸形状で且つ長手方向に断面同一の形状を有する凹凸模様１３を形成した軒樋２では、切り粉が凹凸模様１３に入り込んでしまい、非常に取り除き難い。本実施例ではガイド板部１０の前面の一部に軒樋２の凹凸模様１３と合致する掃除用櫛歯１４を設けることで、軒樋２の切断の際にできる切り粉が軒樋２の凹凸模様１３に入り込んでしまった場合、軒樋切断用補助具１を軒樋２から取り外した後、軒樋切断用補助具１の掃除用櫛歯１４にて凹凸模様１３に入り込んだ切り粉を掻き出すことができる。
【００２８】
【発明の効果】
上記のように本発明の請求項１記載の発明にあっては、軒樋切断時にガイド板部側面に鋸等の切断用工具を沿わせることで切断の動作と位置が安定し、また軒樋外面に軒樋切断用補助具を被嵌することで、最も精度の要求される切断開始時において、変形し難い軒樋の底部から切断することができるために、正確且つ容易に軒樋を軒樋の長手方向に対して垂直に切断することができる。
【００２９】
またガイド板部を前耳嵌合部と後耳嵌合部を除いた枠体外面の側端部に設けることで、ガイド板部を設けたにも関わらず、前耳嵌合部と後耳嵌合部とは弾性を保つことができるため、軒樋に軒樋切断用補助具を取付ける際、容易に前耳嵌合部及び後耳嵌合部とを前耳部及び後耳部とに嵌合することができる。
【００３０】
また請求項２に記載の発明にあっては、上記請求項１の効果に加えて、掃除用櫛歯を設けることで、軒樋の切断の際にできる切り粉が軒樋の凹凸模様に入り込んでしまった場合、掃除用櫛歯にて凹凸模様に入り込んだ切り粉を掻き出すことができる。
【００３１】
また請求項３に記載の発明にあっては、上記請求項１又は請求項２の効果に加えて、両側端部にガイド板部を設けることで、鋸等の切断用工具の右側面と左側面のどちらの面にもガイド板部の側面に沿わせることができるようになり、作業環境や作業者の右利き、左利きに関わらず、軒樋を精度良く切断することができる。
【００３２】
また請求項４に記載の発明にあっては、請求項１乃至請求項３の効果に加えて、脚部を設けることで、軒樋切断用補助具を接地面に接地した際、軒樋の前耳部を接地面から浮かすことができるために、軒樋切断用補助具を接地面に安定させた状態で、鋸等の切断用工具が接地面に当たることなく前耳部を切断することができ、また前耳部を容易に切断することができる。
【００３３】
また請求項５に記載の発明にあっては、請求項１乃至請求項４の効果に加えて、係止突起部と操作用押圧部とを設けることで、前耳嵌合部が前方に外れるのを防止し、また容易に軒樋と軒樋切断用補助具とを嵌合することができる。
【図面の簡単な説明】
【図１】（ａ）本発明の一実施形態の軒樋切断用補助具の断面図である。
（ｂ）（ａ）の正面図である。
【図２】軒樋の断面図である。
【図３】本発明の一実施形態の軒樋切断用補助具を使用する際の断面図である。
【図４】従来の軒樋切断用補助具の斜視図である。
【符号の説明】
１  軒樋切断用補助具
２  軒樋
３  前耳嵌合部
４  後耳嵌合部
５  前耳部
６  後耳部
７  切断用工具
９  枠体
１０  ガイド板部
１１  前壁
１２  後壁
１３  凹凸模様
１４  掃除用櫛歯
１５  脚部
１６  係止部
１７  前板
１８  前縦片
１９  上横片
２０  係止突起部
２１  操作用押圧部
【図１】
0003700632.tif 000002
【図２】
0003700632.tif 000003
【図３】
0003700632.tif 000004
【図４】
0003700632.tif 000005